(57)【要約】      （修正有）【課題】個人、家族、グループといった利用単位に応じた車両機能を有する電気自動車のレンタルを可能とし、且つ、電気自動車の使用率を高め、利用者に適した電気自動車を提供しつつ利用者の金銭負担を軽減することができる電気自動車のレンタルシステム及びレンタル方法を提供する。【解決手段】車両レンタルシステム１の管理サーバ６は、ユーザ端末５から利用単位を含む予約情報を受け付けし、各車両２から車両情報を受信し、予約情報及び車両情報に基づいて配車先に近いステーション３に車両２の配車を指示し、利用を希望する車両機能に基づいて選択情報を参照して制御プログラムを選択し、選択した制御プログラムの書換えを配車先に近いステーション３に指示し、利用している車両２から電気使用量の情報を取得し、利用単位、利用時間、利用した制御プログラム、取得した電気使用量に基づいて料金情報を参照してレンタル料金を算出する。【選択図】図１
2012083905.tif 000002
【特許請求の範囲】
【請求項１】
複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタルシステムにおいて、
前記集中センターは、
前記ユーザ端末からユーザＩＤ、利用を希望する車両機能、利用単位、利用時間、配車先、配車時間又は引取り先を含む予約情報を受け付ける受付手段と、
各車両から走行可能距離、車両位置情報を含む車両情報を受信する受信手段と、
車両機能に応じた制御プログラムの選択情報及び機能保有車両の種類と、ステーション周辺環境情報と、利用単位に応じた基本料金と利用時間、利用した制御プログラム又は機能保有車両の種類及び電気使用量を考慮して定まる使用料金とを含む料金情報とを記憶する記憶手段と、
前記利用を希望する車両機能に基づいて前記制御プログラムの選択情報及び利用されるステーションの前記ステーション周辺環境情報を参照して選択した制御プログラムの書換え、又は前記利用を希望する車両機能を有する機能保有車両の配車を前記配車先に近い配車係又は前記ステーションに指示する書換え配車指示手段と、
前記予約情報及び前記車両情報に基づいて前記配車係又は前記ステーションに車両の配車又は引取りを指示する配車引取り指示手段と、
利用している前記車両から電気使用量の情報を取得し、利用単位、利用時間、利用した制御プログラム又は機能保有車両の種類、前記取得した電気使用量に基づいて前記料金情報を参照してレンタル料金を算出する演算手段とを備えたことを特徴とする電気自動車のレンタルシステム。
【請求項２】
前記利用単位に応じた基本料金は、前記利用単位として一般、目的別グループ、家族、個人の順に、又は一般、家族、目的別グループ、個人の順に高くなるように設定されている請求項１に記載の電気自動車のレンタルシステム。
【請求項３】
前記利用を希望する車両機能を選択する際に、ユーザに推奨する車両機能を提示するとことを特徴とする請求項１記載の電気自動車のレンタルシステム。
【請求項４】
前記推奨する車両機能は、利用地域、利用季節、ユーザ情報から選択することを特徴とする請求項３記載の電気自動車のレンタルシステム。
【請求項５】
前記利用を希望する車両機能を選択する際に、ユーザが推奨する車両機能と異なる車両機能を選択した場合、利用料金を同額とし、又は割り増しし、ユーザが推奨する車両機能を選択した場合、利用料金を割り引きすることを特徴とする請求項４記載の電気自動車のレンタルシステム。
【請求項６】
前記利用を希望する車両機能を選択する際に、ユーザ情報に基づき、そのユーザが、利用場所及び利用ステーション及び利用季節に於いて、最も安全に走行出来る様、制御プログラム又は機能保有車両として、冬季仕様、雨季仕様、登降坂仕様、市街地仕様、高齢者仕様、若者仕様を提示することを特徴とする請求項１に記載の電気自動車のレンタルシステム。
【請求項７】
利用希望者に車両機能を電子情報で提示し、ユーザが選択した車両機能ナンバーをレンタル電気自動車を利用する際のＩＤ入力時に同時入力することにより、自動的に車両制御プログラムを選択する請求項１に記載の電気自動車のレンタルシステム。
【請求項８】
前記ステーションは、車両の充電中に制御プログラムの書換え又は前記機能保有車両の選択を行う請求項１に記載の電気自動車のレンタルシステム。
【請求項９】
前記ステーションは、制御プログラムが書換えられた又は選択された乗り継ぎ用の車両をユーザに貸し出す請求項１に記載の電気自動車のレンタルシステム。
【請求項１０】
前記料金情報は、ユーザの事故履歴の有無、ユーザの年齢、ゴールド免許の有無を含む割引情報に応じた割引料金を含む請求項１に記載の電気自動車のレンタルシステム。
【請求項１１】
各ステーション及びレンタル契約グループ駐車場以外の場所への、配車及び引き取り指定をした場合は、一番近いステーション及び契約グループ駐車場からの距離に応じてレンタル料を割増する請求項１に記載の電気自動車のレンタルシステム。
【請求項１２】
複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタル方法において、
前記ユーザ端末からユーザＩＤ、利用を希望する車両機能、利用単位、利用時間、配車先、配車時間又は引取り先を含む予約情報を受け付けし、
各車両から走行可能距離、車両位置情報を含む車両情報を受信し、
前記利用を希望する車両機能に基づいて、記憶手段が記憶する車両機能に応じた制御プログラムの選択情報及び利用されるステーションのステーション周辺環境情報を参照して選択した制御プログラムの書換え、又は前記利用を希望する車両機能を有する機能保有車両の配車を前記配車先に近い配車係又は前記ステーションに指示し、
前記予約情報及び前記車両情報に基づいて前記配車係又は前記ステーションに車両の配車又は引取りを指示し、
利用している前記車両から電気使用量の情報を取得し、利用単位、利用時間、利用した制御プログラム又は機能保有車両、前記取得した電気使用量に基づいて、記憶手段が記憶する、利用単位に応じた基本料金と利用時間、利用した制御プログラム又は機能保有車両の種類及び電気使用量を考慮して定まる使用料金とを含む料金情報を参照してレンタル料金を算出することを特徴とする電気自動車のレンタル方法。
【請求項１３】
複数の電気自動車である車両と、前記車両の管理を行う複数のステーションと、前記複数の車両、レンタルシステム登録ユーザが使用するユーザ端末及び前記複数のステーションとの間で通信可能な集中センターとを備えた電気自動車のレンタル方法において、
前記ユーザ端末からユーザＩＤ、希望する車両機能、及び個人、家族、目的別グループ、一般等の利用単位を含む予約情報を受け付けし、
前記利用単位に応じた基本料金と前記希望する車両機能に対応する制御プログラムの使用に応じた使用料金とを含む料金情報を参照してレンタル料金を算出することを特徴とする電気自動車のレンタル方法。
【発明の詳細な説明】
【技術分野】
【０００１】
本発明は、電気自動車のレンタルシステム及びレンタル方法に関する。
【背景技術】
【０００２】
近年、ＣＯ２の削減等の環境的な理由や、高額な駐車料金の負担軽減等の経済的な理由から、自動車を共同で利用するカーレンタルシステムが提案されている（例えば、特許文献１参照）。また、ＣＯ２削減目的で、電気自動車（ＥＶ）の個人販売及びレンタルシステムも提案されている。
【０００３】
このカーレンタルシステムは、マンションの駐車場の近くにレンタル制御装置を設置し、カードでマンションの居住者を認証した後、自動車を利用するためのキーの取り出しを許可するものである。
【先行技術文献】
【特許文献】
【０００４】
【特許文献１】特開２００２−２８８７８４号公報
【発明の概要】
【発明が解決しようとする課題】
【０００５】
しかし、従来のカーレンタルシステムによると、利用目的の異なる複数の者が同一機能の自動車を利用するものであるため、自己の目的及び運転の仕方に応じた機能を有する自動車を利用することができず、自動車を専有したいという専有欲を満たすこともできない。また、電気自動車を個人購入した場合、購入費用が高い。
【０００６】
従って、本発明の目的は、個人、家族、グループといった利用単位に応じた車両機能を有する電気自動車のレンタルを可能とし、且つ、電気自動車の使用率を高め、利用者に適した電気自動車を提供しつつ利用者の金銭負担を軽減した電気自動車のレンタルシステム及びレンタル方法を提供することにある。
【課題を解決するための手段】
【０００７】
本発明の一態様は、複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタルシステムにおいて、前記集中センターは、前記ユーザ端末からユーザＩＤ、利用を希望する車両機能、利用単位、利用時間、配車先、配車時間又は引取り先を含む予約情報を受け付ける受付手段と、各車両から走行可能距離、車両位置情報を含む車両情報を受信する受信手段と、車両機能に応じた制御プログラムの選択情報及び機能保有車両の種類と、ステーション周辺環境情報と、利用単位に応じた基本料金と利用時間、利用した制御プログラム又は機能保有車両の種類及び電気使用量を考慮して定まる使用料金とを含む料金情報とを記憶する記憶手段と、前記利用を希望する車両機能に基づいて前記制御プログラムの選択情報及び利用されるステーションの前記ステーション周辺環境情報を参照して選択した制御プログラムの書換え、又は前記利用を希望する車両機能を有する機能保有車両の配車を前記配車先に近い配車係又は前記ステーションに指示する書換え配車指示手段と、前記予約情報及び前記車両情報に基づいて前記配車係又は前記ステーションに車両の配車又は引取りを指示する配車引取り指示手段と、利用している前記車両から電気使用量の情報を取得し、利用単位、利用時間、利用した制御プログラム又は機能保有車両の種類、前記取得した電気使用量に基づいて前記料金情報を参照してレンタル料金を算出する演算手段とを備えたことを特徴とする電気自動車のレンタルシステム。
【０００８】
本発明の他の態様は、複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタル方法において、前記ユーザ端末からユーザＩＤ、利用を希望する車両機能、利用単位、利用時間、配車先、配車時間又は引取り先を含む予約情報を受け付けし、各車両から走行可能距離、車両位置情報を含む車両情報を受信し、前記利用を希望する車両機能に基づいて、記憶手段が記憶する車両機能に応じた制御プログラムの選択情報及び利用されるステーションのステーション周辺環境情報を参照して選択した制御プログラムの書換え、又は前記利用を希望する車両機能を有する機能保有車両の配車を前記配車先に近い配車係又は前記ステーションに指示し、前記予約情報及び前記車両情報に基づいて前記配車係又は前記ステーションに車両の配車又は引取りを指示し、利用している前記車両から電気使用量の情報を取得し、利用単位、利用時間、利用した制御プログラム又は機能保有車両、前記取得した電気使用量に基づいて、記憶手段が記憶する、利用単位に応じた基本料金と利用時間、利用した制御プログラム又は機能保有車両の種類及び電気使用量を考慮して定まる使用料金とを含む料金情報を参照してレンタル料金を算出することを特徴とする電気自動車のレンタル方法。
【発明の効果】
【０００９】
本発明によれば、個人、家族、グループといった利用単位に応じた車両機能を有する電気自動車のレンタルを可能とし、且つ、電気自動車の使用率を高め、利用者に適した電気自動車を提供しつつ利用者の金銭負担を軽減することができる。
【図面の簡単な説明】
【００１０】
【図１】図１は、本発明の実施の形態に係る電気自動車のレンタルシステムの概略の構成例を示す概念図である。
【図２】図２は、図１に示す電気自動車のレンタルシステムの概略の構成例を示すブロック図である。
【図３】図３は、料金テーブルの一例を示す図である。
【図４】図４は、電気自動車の制御系の概略の構成例を示すブロック図である。
【図５】図５は、管理サーバの動作例を示すフローチャートである。
【発明を実施するための形態】
【００１１】
図１は、本発明の実施の形態に係る電気自動車のレンタルシステムの構成例を示す概念図である。図２は、図１に示す電気自動車のレンタルシステムの概略の構成例を示すブロック図である。図３は、料金テーブルの一例を示す図である。なお、電気自動車２およびステーション３は、図２では、便宜上それぞれ１つを図示している。
【００１２】
この電気自動車のレンタルシステム１は、図１及び図２に示すように、複数の電気自動車（以下、単に「車両」ともいう。）２と、複数のステーション３と、車両２をステーション３間又はステーション３と他の場所との間で移動させることが可能な移動手段の一例の車両運搬車４と、集中センターに設けられ、複数の車両２、複数のステーション３、及びユーザ端末５との間でインターネット７（及び基地局８）を介して通信可能な管理サーバ６とを備える。
【００１３】
本集中センターは、タクシーを管理するタクシー集中センター、ガソリンスタンドを管理するガソリンスタンド集中センター、旅館を管理する旅館組合、地域組合、地方自治体、道路公団等が担ってもよい。
【００１４】
（電気自動車）
電気自動車２は、前輪および後輪の一方のみを駆動する電気モータを有する自動車、前輪および後輪の両方を駆動する電気モータを有する自動車、又は車輪の動力源として電気モータとエンジンの両方を有する所謂ハイブリッドカーでもよい。
【００１５】
（ステーション）
ステーション３は、制御プログラムの書換え、充電、メンテナンス（修理）を含む車両２の管理を行うものである。ステーション３は、図１に示すように、複数の車両２が駐車可能なスペース３０と、事務所３１の天井に設けられた太陽電池パネル３２と、太陽電池パネル３２で充電した電力で車両２への充電を行う複数の充電スタンド３３と、管理サーバ６との間で情報を送受信するステーション端末３４（図２参照）とを備える。ステーション３には、メンテナンス（修理）を行う修理工場３５が隣接している。また、ステーション３は、充電スタンド３３から車両２への充電中に制御プログラムの書換えを行ってもよい。また、ステーション３は、制御プログラムが書換えられた乗り継ぎ用の車両２をユーザに貸し出してもよい。これにより、例えば、標準の機能を有する車両２で自宅から平地を走行してステーション３まで移動し、そのステーション３で登降坂用の機能を有する車両２に乗り継いで山岳を越えるというように、車両機能の異なる車両２を乗り継ぐこともできる。
【００１６】
ステーション端末３４は、図２に示すように、ＣＰＵ等を備えた制御部３４０と、ＲＯＭ、ＲＡＭ、ハードディスク等の記憶部３４１と、管理サーバ６との間で情報を送受信する通信部３４２とを備える。
【００１７】
記憶部３４１には、制御プログラムＩＤに対応して制御プログラムが記憶されている。
【００１８】
制御プログラム又は車両機能には、冬季仕様（低μ路走行仕様）、雨季仕様（冠水対応、感電防止対策の強化）、登降坂仕様（登坂力・降坂力の強化）、市街地仕様（低速域での効率特性が上がる前後モータトルク配分、人・動物の飛び出し検知、死角の補助）、高齢者仕様（ハンドル操作・ブレーキ操作・アクセル操作を含む運転アシスト、前方・後方視界補助機能を含む視界機能の強化、室内空間のゆとりのあるレイアウト）、若者仕様（加速・減速感を含むフィーリング調整機能、コーナリングのオーバーステア対策強化、車間制御の充実、追突防止機能の強化）に応じたものがある。
【００１９】
（ユーザ端末）
ユーザ端末５は、車両２のレンタルに関する予約情報を送信するものであり、例えば、携帯電話５ａやＰＣ（パーソナルコンピュータ）５ｂ等を用いることができる。予約情報は、例えば、ユーザＩＤ（識別情報）、利用を希望する車両機能、利用単位、利用時間、配車先、配車時間、引取り先、引取り時間等を含む。「車両機能」には、制御プログラムの書換えによって実現できる機能、ハードウェアの交換、追加、取り外し等によって実現できる機能、及び制御プログラムの書換えとハードウェハの交換等によって実現できる機能がある。
【００２０】
ここで、「利用単位」とは、車両２を共同で利用する単位をいい、例えば個人、家族、目的別グループ、一般等が含まれるが、これらに限定されない。利用単位の「個人」とは、ユーザ一人を意味する。利用単位が「個人」の場合、そのユーザのみが車両２を専有し、車両機能はユーザが自由に選択することができる。利用単位の「家族」は、家族を構成するユーザである。利用単位が「家族」の場合、家族で車両２を共用し、車両機能は標準に近い機能となる。利用単位の「目的別グループ」は、目的が共通するユーザから構成されたグループである。目的には、遠方への旅行、近距離の送迎等がある。利用単位の「一般」は、広く一般の人が車両２を共用し、車両機能は標準的なものとなる。また、「専有」とは利用単位に応じて決められた１台又は複数の車両２の内の１台を利用することや、利用単位毎に同時に利用可能な車両台数が決められていることや、ユーザの合意により「他のユーザ」や業務での使用（「宅配」、「郵送」、「タクシー」）など特定者に専有した車両を利用可能にすることを含む。
【００２１】
（管理サーバ）
管理サーバ６は、ＣＰＵ等を備えた制御部６０と、ＲＯＭ、ＲＡＭ、ハードディスク等の記憶部６１とを備える。
【００２２】
記憶部６１には、管理プログラム６１０等の各種のプログラムや、料金テーブル６１１、制御プログラムリスト６１２、ユーザリスト６１３、ステーション周辺環境情報６１４等の各種のデータが記憶されている。
【００２３】
料金テーブル６１１には、図３に示すように、利用単位に応じた基本料金と、利用時間、利用した制御プログラム又は機能保有車両（車両機能を保有する車両）の種類、及び電気使用量を考慮して定まる使用料金とからなるレンタル料金（料金情報）が記録されている。また、利用単位に応じた基本料金は、一般、目的別グループ、家族、個人の順に、又は一般、家族、目的別グループ、個人の順に高くなるように設定されている。
【００２４】
制御プログラムリスト６１２には、車両機能に対応して制御プログラムＩＤが記録されている。
【００２５】
ユーザリスト６１３には、ユーザＩＤ、ユーザの自宅の位置情報、年齢、性別、ゴールド免許の有無、事故履歴等のユーザ情報が記録されている。
【００２６】
ステーション周辺環境情報６１４には、ユーザにより指定された配車先又は引取り先である場所（住所、ステーション番号、登録地点等によって特定）に対応して季節（豪雪地域、雨が多い地域、凍結しやすい地域等）、予約時の天気予報、走行環境（山岳地域、市街地、未舗装が多い地域等)等が記憶されている。なお、ステーション周辺環境情報６１４は、書換え配車指示手段６０４がインターネットを利用して後述するその都度取得してもよい。
【００２７】
制御部６０のＣＰＵは、記憶部６１に記憶されている管理プログラム６１０に従って動作することにより、受付手段６０１、受信手段６０２、配車引取り指示手段６０３、書換え配車指示手段６０４、演算手段６０５等として機能する。
【００２８】
受付手段６０１は、ユーザ端末５からの情報、例えば前述した予約情報を受け付ける。また、受付手段６０１は、ユーザが車両機能を選択する際に、ユーザに利用地域、利用季節及びユーザ情報等から選択させ、選択された利用地域、利用季節又はユーザ情報に応じてユーザに推奨する安全性を考慮した車両機能を提示し、ユーザの承認を得て車両機能を確定してもよい。「利用地域」が選択された場合には、例えば、利用地域が雪国なら４駆、利用地域が山岳なら登降坂の車両機能を推奨する。また、「利用季節」が選択された場合には、例えば、利用季節が雨季なら４駆、利用季節が冬なら冬季用の車両機能を推奨する。「ユーザ情報」が選択された場合には、ユーザの年齢や事故履歴に応じた車両機能を提示する。
【００２９】
受信手段６０２は、各車両２からの情報、例えば車両情報を受信する。車両情報の詳細については後述する。
【００３０】
配車引取り指示手段６０３は、予約情報及び車両情報等に基づいてステーション３に車両２の配車又は引取りを指示する。
【００３１】
書換え配車指示手段６０４は、予約情報に含まれる利用を希望する車両機能に基づいて制御プログラムリスト６１２及び利用されるステーションのステーション周辺環境情報６１４を参照して選択した制御プログラムの書換え又は車両機能を保有する機能保有車両の配車を複数のステーション３のうち配車先に近いステーション３に指示する。
【００３２】
演算手段６０５は、車両２から電気使用量の情報を取得し、利用単位、利用時間、利用した制御プログラム、電気使用量に基づいて料金テーブル６１１を参照して料金を算出する。また、演算手段６０５は、推奨する車両機能とは異なる車両機能をユーザが選択した場合、利用料金を割り増しし、推奨する車両機能をユーザが選択した場合、利用料金を割り引きする。なお、ユーザの事故履歴の有無、ユーザの年齢、ゴールド免許の有無を含む割引情報に応じて利用料金を割り引いてもよい。なお、基本料金と使用料金の決め方は、本実施の形態に限定されるものではない。例えば、使用料金に含まれる事項を使用料金とせずに基本料金に含めてもよい。
【００３３】
（車両）
図４は、車両２の制御系の概略の構成例を示すブロック図である。車両２は、車両２の各部を制御する制御装置２０を有し、この制御装置２０に、カードＣからユーザＩＤを読み取るカード読取装置２１と、ＧＰＳ受信機、光ジャイロ装置等によって自車位置を特定する自車位置特定部２２と、走行可能距離算出部２３と、電気使用量算出部２４と、各種情報の表示及び入力が可能な表示入力部２５と、インターネット７及び基地局８経由で管理サーバ６との間で情報を送受信する通信部２６とを各々接続している。
【００３４】
制御装置２０は、ＣＰＵ等を備えた制御部２０１と、ＲＯＭ、ＲＡＭ、ハードディスク等の記憶部２０２とを備える。記憶部２０２には、ＣＰＵを動作させるための制御プログラム２０３等の各種のプログラムや車両保守情報２０４等の各種のデータが記憶されている。
【００３５】
走行可能距離算出部２３には、電気モータの電源となるバッテリの蓄電容量（残容量）を検出するバッテリ容量センサが接続されており、走行可能距離算出部２３は、バッテリ容量センサにより検出された残容量に基づいて走行可能距離を算出する。
【００３６】
電気使用量算出部２４には、バッテリ容量センサが接続されており、電気使用量算出部２４は、バッテリ容量センサにより検出された残容量に基づいて電気使用量を算出する。
【００３７】
車両保守情報２０４には、走行が出来ないなどの車両故障発生や、事故発生の情報が記憶される。
【００３８】
制御装置２０１は、カード読取装置２１がカードＣから読み取ったユーザＩＤを通信部２６を介して管理サーバ６に送信し、管理サーバ６から利用許可通知を受信すると、当該車両２の運転を可能とするものである。また、制御部２０１は、走行可能距離算出部２３によって算出された走行可能距離、車両保守情報２０４及び自車位置情報を含む車両情報を通信部２６により管理サーバ６に送信する。
【００３９】
（本実施の形態の動作）
本実施の形態の動作を、図５のフローチャートに従って説明する。図５は、管理サーバ６の動作を示すフローチャートである。
【００４０】
（１）予約
ユーザは、ユーザ端末５からユーザＩＤ、利用を希望する車両機能、利用単位、利用時間、配車先、配車時間等の予約情報を入力する。
【００４１】
管理サーバ６の受付手段６０１は、ユーザ端末５から送信された予約情報を受け付ける（Ｓ１）。受付手段６０１は、受け付けた予約情報に含まれるユーザＩＤがユーザリスト６１３に登録されたユーザか否かを判断し、登録されたユーザと判断したときは、予約が完了した旨の予約完了情報をユーザ端末５に送信する。登録されたユーザと判断できないときは、予約を受け付けることができない旨の予約不可情報をユーザ端末５に送信する。
【００４２】
（２）制御プログラムの書換え
集中管理センターは、ユーザの登録情報と、配車場所及び、利用季節、時間情報より、利用ユーザにとって安全な制御又は車両機能を選択し、その機能を選択した場合の割引金額とを合わせて、ユーザ端末に送信する。ユーザの選択可否により、その選択仕様に有った、車両の指定場所への配車指示をする。又、プログラム変更又は選択の場合は、ユーザにプログラムナンバーを送信し、車両仕様開始(ID打ちこみ)の際に、ナンバー打ち込みにより、制御選択が完了しレンタルが開始される。また、ユーザ選択制御への変更を、指定ステーション、又は一番近い配車係に指示し、指定車の制御プログラムを変更しても良い。
【００４３】
管理サーバ６の書換え配車指示手段６０４は、予約情報に含まれる車両機能に基づいて制御プログラムリスト６１２を参照して対応する制御プログラムＩＤを読み出し、それらを配車先に近いステーション３に送信して制御プログラムの書換えを指示する（Ｓ２）。
【００４４】
制御プログラムの書換えの指示を受けたステーション３のステーション端末３４は、送信された制御プログラムＩＤに対応する制御プログラムを記憶部３４１から読み出し、読み出した制御プログラムで配車予定の車両２の制御プログラムを書き換える。
【００４５】
（３）配車
管理サーバ６の配車引取り指示手段６０３は、受け付けた予約情報に含まれる配車時間に車両２が配車されるように、配車先に近いステーション３に配車先及び配車時間からなる配車情報を送信して配車を指示する（Ｓ３）。
【００４６】
管理サーバ６から配車情報を受けたステーション３は、制御プログラムが書き換えられた車両２を指定された配車時間に車両運搬車４により配車先に配送する。
【００４７】
（４）車両への乗車
ユーザは、カードＣを車両２に近づくと、カード読取装置２１がカードＣからユーザＩＤを読み取る。制御装置２０は、ユーザＩＤを管理サーバ６に送信する。
【００４８】
管理サーバ６の受信手段６０２は、車両２から送信されたユーザＩＤがユーザリスト６１３に登録されたユーザか否かを判断し、登録されたユーザと判断したときは、運転を許可する旨の運転許可情報を車両２に送信する。登録されたユーザと判断できないときは、運転を許可できない旨の運転不許可情報を車両２に送信する。
【００４９】
運転許可情報を受信した車両２の制御部２０１は、当該車両２の運転を許可する。ユーザは、車両２を運転し利用する。
【００５０】
（５）引取り
予約情報に引取り先及び引取り時間が含まれている場合には、引取り情報の受付ステップＳ４は、不要であるが、予約情報に引取り先及び引取り時間が含まれていない場合には、引取り情報の受付ステップＳ４が必要になる。すなわち、配車された車両２を利用したユーザが引取りを希望する場合は、ユーザ端末５又は車両２の表示入力部２５を操作して引取りを希望する旨、引取り場所（引取り先）、引取り時間を含む引取り情報を入力する。ユーザ端末５又は車両２の制御装置２０は、入力された引取り情報を管理サーバ６に送信する。
【００５１】
管理サーバ６の受付手段６０１は、送信された引取り情報を受け付ける（Ｓ４）。管理サーバ６の配車引取り指示手段６０３は、受け付けた引取り情報に含まれる引取り時間に車両２を引き取るように、引き取り場所に近いステーション３に引取り情報を送信して引取りを指示する（Ｓ５）。
【００５２】
管理サーバ６から引取り情報を受けたステーション端末３４は、指定された引取り時間に車両運搬車４を到着させ、車両運搬車４により車両２を引き取り、ステーション３に運搬させる。なお、予約情報に引取り先及び引取り時間が含まれている場合には、配車引取り指示手段６０３は、予約情報に含まれている引取り先及び引取り時間に従って車両２の引取りを指示する。
【００５３】
（６）課金処理
管理サーバ６の演算手段６０５は、車両２から電気使用量の情報を取得し、利用単位、利用時間、利用した制御プログラム、電気使用量に基づいて料金テーブル６１１を参照して料金を算出する。演算手段６０５は、ユーザが指定する口座から料金を引き落とす課金処理を行う。
【００５４】
（実施の形態の効果）
本実施の形態によれば、以下の効果を奏する。
（１）個人、家族、グループ、一般といった利用単位あるいは車両の専有度合いに応じた車両機能を有する車両のレンタルを可能とすることができる。
（２）車両選択の際に、ユーザの利用状況に合った安全な車両を提示し、安全な車両を選べば割引又はポイント付与することで安全な車両の利用促進を図ることができる。
（３）特定の地域に住む者の間で車両を共用する従来のカーシェアリングと比べて車両を専有したいという専有欲を満たすこともできる。
【００５５】
本発明は、上記実施の形態に限定されず、本発明の趣旨を逸脱しない範囲内で種々に変形実施が可能である。例えば、各手段６０１〜６０５をＣＰＵとプログラムによって実現したが、ＡＳＩＣ（Application Specific IC）等のハードウエアによって実現してもよい。
【００５６】
また、管理プログラム６１０は、ＣＤ−ＲＯＭ等のコンピュータ読み取り可能な記録媒体から制御装置内に取り込んでもよく、サーバ装置等からネットワークを介して制御装置内に取り込んでもよい。
【００５７】
また、本発明は、上記実施の形態の電気自動車のレンタルシステム及びレンタル方法に限られず、以下の電気自動車のレンタル方法でもよい。
【００５８】
すなわち、電気自動車のレンタル方法は、複数の電気自動車である車両と、前記車両の管理を行う複数のステーションと、前記複数の車両、レンタルシステム登録ユーザが使用するユーザ端末及び前記複数のステーションとの間で通信可能な集中センターとを備えた電気自動車のレンタル方法において、前記ユーザ端末からユーザＩＤ、希望する車両機能、及び個人、家族、目的別グループ、一般等の利用単位を含む予約情報を受け付けし、前記利用単位に応じた基本料金と前記希望する車両機能に対応する制御プログラムの使用に応じた使用料金とを含む料金情報を参照してレンタル料金を算出することを特徴とするものでもよい。
【００５９】
ここで、「制御プログラムの使用」は、制御プログラムの利用のみならず、車両（機能保有車両を含む。）の利用時間を含む意味である。
【産業上の利用可能性】
【００６０】
本特許は、現状の産業分野から（参入できる）企業・業界に利用可能である。すなわち、本発明は、車両販売及びレンタカー業界等の自動車産業に関わる業界の他に、１）ガソリンスタント及びそのグループ、２）マンション管理会社及びそのグループ、３）ホテルチェーン（ホテル管理）及び旅館組合、４）鉄道・空輸旅客運輸会社及びそのグループ、５）タクシ−業界及びそのグループ、６）百貨店、各種スーパー、７）道路管理公団及び地方公共団体の外郭団体、８）物資の運搬を業とする物流（運輸）サービス業界及びそのグループ、９）電力及び情報サービスを提供する業界及びそのグループ、１０）駐車場等の不動産管理業界及びそのグループ等、「人」「物（物資）」「エネルギー・情報」「サービス」「人・物の管理」「不動産」を総合的に管理・運営している業界、団体、及びそれらのグループに利用可能である。
【符号の説明】
【００６１】
１…電気自動車のレンタルシステム、２…電気自動車（車両）、３…ステーション、４…車両運搬車、５…ユーザ端末、５ａ…携帯電話、５ｂ…ＰＣ、６…管理サーバ、７…インターネット、８…基地局、２０…制御装置、２１…カード読取装置、２２…自車位置特定部、２３…走行可能距離算出部、２４…電気使用量算出部、２４…表示入力部、２５…表示入力部、２６…通信部、３０…スペース、３１…事務所、３２…太陽電池パネル、３３…充電スタンド、３４…ステーション端末、３５…修理工場、６０…制御部、６１…記憶部、２０１…制御部、２０２…記憶部、２０３…制御プログラム、２０４…車両保守情報、３４０…制御部、３４１…記憶部、３４２…通信部、６０１…受付手段、６０２…受信手段、６０３…配車引取り指示手段、６０４…書換え配車指示手段、６０５…演算手段、６１０…管理プログラム、６１１…料金テーブル、６１２…制御プログラムリスト、６１３…ユーザリスト、Ｃ…カード
【図１】
2012083905.tif 000003
【図２】
2012083905.tif 000004
【図３】
2012083905.tif 000005
【図４】
2012083905.tif 000006
【図５】
2012083905.tif 000007
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
レンタル対象の電気自動車の専有度に応じた予約情報を受け付ける受付ステップと、
前記受付ステップにて受け付けられた前記予約情報における前記電気自動車の専有度に応じた料金情報を記憶装置から読み出し、読み出した前記料金情報に基づいてレンタル料金を演算する演算ステップを含む電気自動車のレンタル方法。
【請求項２】
前記予約情報は、前記電気自動車の車両機能、及び前記電気自動車の数を含む請求項１に記載の電気自動車のレンタル方法。
【請求項３】
前記電気自動車の専有度は、利用単位（個人、家族、目的別グループ、一般を含む単位）に応じた専有度を含む請求項１又は２の記載の電気自動車のレンタル方法。
【請求項４】
前記予約情報に前記電気自動車の車両機能が含まれているとき、前記電気自動車の制御プログラムの書き換える書換えステップを、さらに含む請求項１乃至３のいずれか１項に記載の電気自動車のレンタル方法。
【請求項５】
複数の電気自動車である車両と、充電及びメンテナンスを含む前記車両の管理を行う複数のステーションと、前記複数のステーションとの間で通信可能な集中センターとを備えた電気自動車のレンタルシステムにおいて、
前記集中センターは、
レンタル対象の電気自動車の専有度に応じた予約情報を受け付ける受付手段と、
前記受付手段にて受け付けられた前記予約情報における前記電気自動車の専有度に応じた料金情報を記憶装置から読み出し、読み出した前記料金情報に基づいてレンタル料金を演算する演算手段とを備えた電気自動車のレンタルシステム。
【請求項６】
前記集中センターは、前記予約情報に前記電気自動車の車両機能が含まれているとき、前記車両機能に応じて前記電気自動車の制御プログラムの書換えを前記複数のステーションのうち必要なステーションに指示する指示手段を、さらに備えた請求項５に記載の電気自動車の電気自動車のレンタルシステム。
【請求項７】
前記車両機能は、利用地域、利用季節、又はユーザに関するユーザ情報に応じたものである請求項５に記載の電気自動車のレンタルシステム。
【請求項８】
前記車両機能は、ユーザが、利用場所及び利用ステーション及び利用季節に於いて、安全に走行出来る様、制御プログラム又は機能保有車両として、冬季仕様、雨季仕様、登降坂仕様、市街地仕様、高齢者仕様、若者仕様に応じたものである請求項５に記載の電気自動車のレンタルシステム。
【請求項９】
前記ステーションは、制御プログラムが書換えられた又は選択された乗り継ぎ用の車両をユーザに貸し出す請求項５に記載の電気自動車のレンタルシステム。
【手続補正２】
【補正対象書類名】明細書
【補正対象項目名】０００７
【補正方法】変更
【補正の内容】
【０００７】
本発明の一態様は、複数の電気自動車である車両と、充電及びメンテナンスを含む前記車両の管理を行う複数のステーションと、前記複数のステーションとの間で通信可能な集中センターとを備えた電気自動車のレンタルシステムにおいて、前記集中センターは、レンタル対象の電気自動車の専有度に応じた予約情報を受け付ける受付手段と、前記受付手段にて受け付けられた前記予約情報における前記電気自動車の専有度に応じた料金情報を記憶装置から読み出し、読み出した前記料金情報に基づいてレンタル料金を演算する演算手段とを備えた電気自動車のレンタルシステム。
また、本発明の一態様は、複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタルシステムにおいて、前記集中センターは、前記ユーザ端末からユーザＩＤ、利用を希望する車両機能、利用単位、利用時間、配車先、配車時間又は引取り先を含む予約情報を受け付ける受付手段と、各車両から走行可能距離、車両位置情報を含む車両情報を受信する受信手段と、車両機能に応じた制御プログラムの選択情報及び機能保有車両の種類と、ステーション周辺環境情報と、利用単位に応じた基本料金と利用時間、利用した制御プログラム又は機能保有車両の種類及び電気使用量を考慮して定まる使用料金とを含む料金情報とを記憶する記憶手段と、前記利用を希望する車両機能に基づいて前記制御プログラムの選択情報及び利用されるステーションの前記ステーション周辺環境情報を参照して選択した制御プログラムの書換え、又は前記利用を希望する車両機能を有する機能保有車両の配車を前記配車先に近い配車係又は前記ステーションに指示する書換え配車指示手段と、前記予約情報及び前記車両情報に基づいて前記配車係又は前記ステーションに車両の配車又は引取りを指示する配車引取り指示手段と、利用している前記車両から電気使用量の情報を取得し、利用単位、利用時間、利用した制御プログラム又は機能保有車両の種類、前記取得した電気使用量に基づいて前記料金情報を参照してレンタル料金を算出する演算手段とを備えたことを特徴とする電気自動車のレンタルシステム。
【手続補正３】
【補正対象書類名】明細書
【補正対象項目名】０００８
【補正方法】変更
【補正の内容】
【０００８】
本発明の他の態様は、レンタル対象の電気自動車の専有度に応じた予約情報を受け付ける受付ステップと、前記受付ステップにて受け付けられた前記予約情報における前記電気自動車の専有度に応じた料金情報を記憶装置から読み出し、読み出した前記料金情報に基づいてレンタル料金を演算する演算ステップを含む電気自動車のレンタル方法。
また、本発明の他の態様は、複数の電気自動車である車両と、制御プログラムの書換え、充電及びメンテナンスを含む前記車両の管理を行う複数のステーションと、前記車両を前記ステーション間又は前記ステーションと他の場所との間で移動可能な移動手段と、前記複数の車両、レンタルシステム登録ユーザが使用するユーザ端末及び前記複数のステーションとの間で通信可能な集中センターとを備えた電気自動車のレンタル方法において、前記ユーザ端末からユーザＩＤ、利用を希望する車両機能、利用単位、利用時間、配車先、配車時間又は引取り先を含む予約情報を受け付けし、各車両から走行可能距離、車両位置情報を含む車両情報を受信し、前記利用を希望する車両機能に基づいて、記憶手段が記憶する車両機能に応じた制御プログラムの選択情報及び利用されるステーションのステーション周辺環境情報を参照して選択した制御プログラムの書換え、又は前記利用を希望する車両機能を有する機能保有車両の配車を前記配車先に近い配車係又は前記ステーションに指示し、前記予約情報及び前記車両情報に基づいて前記配車係又は前記ステーションに車両の配車又は引取りを指示し、利用している前記車両から電気使用量の情報を取得し、利用単位、利用時間、利用した制御プログラム又は機能保有車両、前記取得した電気使用量に基づいて、記憶手段が記憶する、利用単位に応じた基本料金と利用時間、利用した制御プログラム又は機能保有車両の種類及び電気使用量を考慮して定まる使用料金とを含む料金情報を参照してレンタル料金を算出することを特徴とする電気自動車のレンタル方法。